(57)【要約】【課題】被収容物である流動体が充填されているパウチ容器が倒れても口部から被収容物がこぼれ出ることがない、キャップの不要なパウチ容器を提供する。【解決手段】この発明にかかるパウチ容器１０は、第１表面材１２と第２表面材１４とを連結した連結領域１６の一部に取り付けられた開閉弁５０を備え、開閉弁５０は、第１表面材及び第２表面材に密着する外表面を有する弁本体５２と、弁本体の中に穿設された流入穴５４と、弁本体の中に穿設された流出穴５６と、前記流入穴と流出穴との間において、人体の手の指の幅に近い長さを有する弁部５８とを有し、該弁部に形成された吐出スリット６０は、吐出スリットの幅方向における両側における弁本体の外表面を人体の手の指で挟み、吐出スリットの幅方向に向けて人体の手の指で押すことによって、弁本体の吐出スリットの周辺の弁本体を変形させ且つ吐出スリットを拡開するように構成されている。【選択図】図１Ｂ
2015034021.tif 000002
【特許請求の範囲】
【請求項１】
液状・塊状・粒状・又は粉状の被収容物を収容する閉鎖区域を形成するために相互に連結された第１表面材及び第２表面材と、
前記第１表面材と第２表面材とを連結した連結領域の一部に取り付けられた開閉弁とを備える、パウチ容器であって、
前記開閉弁は、
前記第１表面材と第２表面材とを連結した連結領域において第１表面材及び第２表面材に密着する外表面を有する弁本体と、
前記閉鎖区域内に入り込む領域において、弁本体の中に穿設された流入穴と、
前記第１表面材と第２表面材とを連結した連結領域の外側に位置する領域において、弁本体の中に穿設された流出穴と、
前記流入穴と流出穴との間において、人体の手の指の幅に近い長さを有する弁部とを有し、
該弁部に前記流入穴と流出穴とに連通する一条の吐出スリットを形成され、
前記吐出スリットは、流入穴と流出穴との間にのびる長手方向と、前記長手方向と交差する方向にのびる幅方向とを有し、吐出スリットの幅方向における両側における弁本体の外表面を人体の手の指で挟み、吐出スリットの幅方向に向けて人体の手の指で押すことによって、弁本体の吐出スリットの周辺の弁本体を変形させ且つ吐出スリットを拡開するように構成された、パウチ容器。
【請求項２】
弁本体は、閉鎖区域に収容された被収容物の運動による圧力で変形せず且つ人体の手の指の圧力で変形する弾力性を有する合成樹脂で一体成形され、その中程にある吐出スリットを構成するスリット構成面は、互いに平行な平面であり、無負荷のときに密着している請求項１に記載のパウチ容器。
【請求項３】
弁本体は、閉鎖区域から連結領域の外側に至る長さを備えた、円柱状若しくは截頭円錐状又は角柱状若しくは截頭角錐状であり、且つ、流入穴及び流出穴の周辺は、円筒状であり、
吐出スリットを形成された弁部は、流出穴及び／又は流入穴に向く面が平面視及び／又は底面視方形又は円形の平面又は凸状である、請求項１又は２に記載のパウチ容器。
【発明の詳細な説明】
【技術分野】
【０００１】
この発明は、パウチ容器に関し、特に例えば、フレキシブルシートによって袋状に形成され、液状等の被収容物が充填されるパウチ容器に関する。
【背景技術】
【０００２】
被収容物として流動体が充填されるスパウト付きパウチ容器として、例えば、特許文献１に示すようなものがある。この特許文献１のスパウト付きパウチ容器は、フレキシブルシートによって袋状に形成されたボトムガセットタイプのパウチと、このパウチの上縁部に装着された、注口や飲口となる口部をスクリューキャップによって開閉することができるスパウトとを備えており、流動体である被収容物をパウチに充填した状態で自立させることができるようになっている。
【０００３】
特許文献１のスパウト付きパウチ容器は、シリコンゴム等によって形成された、中央部に十字の切目ｇｌを有する弾性変形可能な流路閉塞体５２ｂによって、スパウト５２Ａの流路ｆｒを閉塞しておくように構成されている。このようなスパウト５２Ａを装着したスパウト付きパウチ容器では、スパウト５２Ａからスクリューキャップ５３を外したスパウト付きパウチ容器を倒しても、内容物がスパウト５２Ａからこぼれ出てしまうことはなく、内容物が充填されたパウチ５１を押圧することによってパウチ５１の内圧を高めると、同図（ａ）、（ｂ）に二点鎖線で示すように、流路ｆｒを閉塞している流路閉塞体５２ｂの切目ｇｌ部分が弾性変形して、流路閉塞体５２ｂに開口が形成されるので、内容物を流出させることができる。
【先行技術文献】
【特許文献】
【０００４】
【特許文献１】特開２００４−５９０７１号公報
【特許文献２】特許第５１３８１７３号
【発明の概要】
【発明が解決しようとする課題】
【０００５】
現在、スクリューキャップのないパウチ容器を求められている。
また、被収容物である流動体が充填されているパウチ容器が倒れても、その口部から内容物がこぼれ出ることがないパウチ容器を求められている。
【０００６】
それゆえに、この発明の主たる目的は、被収容物である流動体が充填されているパウチ容器が倒れても口部から被収容物がこぼれ出ることがない、キャップの不要なパウチ容器を提供することである。
【課題を解決するための手段】
【０００７】
この発明の請求項１にかかるパウチ容器は、液状・塊状・粒状・又は粉状の被収容物を収容する閉鎖区域を形成するために相互に連結された第１表面材及び第２表面材と、前記第１表面材と第２表面材とを連結した連結領域の一部に取り付けられた開閉弁とを備える、パウチ容器であって、前記開閉弁は、前記第１表面材と第２表面材とを連結した連結領域において第１表面材及び第２表面材に密着する外表面を有する弁本体と、前記閉鎖区域内に入り込む領域において、弁本体の中に穿設された流入穴と、前記第１表面材と第２表面材とを連結した連結領域の外側に位置する領域において、弁本体の中に穿設された流出穴と、前記流入穴と流出穴との間において、人体の手の指の幅に近い長さを有する弁部とを有し、該弁部に前記流入穴と流出穴とに連通する一条の吐出スリットを形成され、前記吐出スリットは、流入穴と流出穴との間にのびる長手方向と、前記長手方向と交差する方向にのびる幅方向とを有し、吐出スリットの幅方向における両側における弁本体の外表面を人体の手の指で挟み、吐出スリットの幅方向に向けて人体の手の指で押すことによって、弁本体の吐出スリットの周辺の弁本体を変形させ且つ吐出スリットを拡開するように構成された、パウチ容器である。
この発明の請求項２にかかるパウチ容器においては、弁本体は、閉鎖区域に収容された被収容物の運動による圧力で変形せず且つ人体の手の指の圧力で変形する弾力性を有する合成樹脂で一体成形され、その中程にある吐出スリットを構成するスリット構成面は、互いに平行な平面であり、無負荷のときに密着している請求項１に記載のパウチ容器である。
この発明の請求項３にかかるパウチ容器においては、弁本体は、閉鎖区域から連結領域の外側に至る長さを備えた、円柱状若しくは截頭円錐状又は角柱状若しくは截頭角錐状であり、且つ、流入穴及び流出穴の周辺は、円筒状であり、吐出スリットを形成された弁部は、流出穴及び／又は流入穴に向く面が平面視及び／又は底面視方形又は円形の平面又は凸状である、請求項１又は２に記載のパウチ容器である。
【発明の効果】
【０００８】
請求項１に係る発明のパウチ容器は、液状・塊状・粒状・又は粉状の被収容物を収容する閉鎖区域を形成するために相互に連結された第１表面材及び第２表面材と、前記第１表面材と第２表面材とを連結した連結領域の一部に取り付けられた開閉弁とを備える、パウチ容器であって、前記開閉弁は、前記第１表面材と第２表面材とを連結した連結領域において第１表面材及び第２表面材に密着する外表面を有する弁本体と、前記閉鎖区域内に入り込む領域において、弁本体の中に穿設された流入穴と、前記第１表面材と第２表面材とを連結した連結領域の外側に位置する領域において、弁本体の中に穿設された流出穴と、前記流入穴と流出穴との間において、人体の手の指の幅に近い長さを有する弁部とを有し、該弁部に前記流入穴と流出穴とに連通する一条の吐出スリットを形成され、前記吐出スリットは、流入穴と流出穴との間にのびる長手方向と、前記長手方向と交差する方向にのびる幅方向とを有し、吐出スリットの幅方向における両側における弁本体の外表面を人体の手の指で挟み、吐出スリットの幅方向に向けて人体の手の指で押すことによって、弁本体の吐出スリットの周辺の弁本体を変形させ且つ吐出スリットを拡開するように構成されているので、キャップを外すことなく被収容物が充填された容器の開閉弁の吐出スリットの幅方向における両側において弁本体の外表面を人体の手の指で挟み、吐出スリットの幅方向に向けて人体の手の指で押すことによって、被収容物を流出させることができる。
請求項２に係る発明のパウチ容器は、弁本体は、閉鎖区域に収容された被収容物の運動による圧力で変形せず且つ人体の手の指の圧力で変形する弾力性を有する合成樹脂で一体成形され、その中程にある吐出スリットを構成するスリット構成面は、互いに平行な平面であるので、閉鎖区域を密封でき、キャップを外すことなく被収容物が充填された容器の開閉弁の吐出スリットの幅方向における両側において弁本体の外表面を人体の手の指で挟み、吐出スリットの幅方向に向けて人体の手の指で押すことによって、被収容物を流出させることができる。
請求項３に係る発明のパウチ容器は、弁本体は、閉鎖区域から連結領域の外側に至る長さを備えた、円柱状若しくは截頭円錐状又は角柱状若しくは截頭角錐状であり、且つ、流入穴及び流出穴の周辺は、円筒状であり、吐出スリットを形成された弁部は、流出穴及び／又は流入穴に向く面が平面視及び／又は底面視方形又は円形の平面又は凸状であるので、第１表面材及び第２表面材の間に密着して、密封でき、キャップを外すことなく被収容物が充填された容器の開閉弁の吐出スリットの幅方向における両側において弁本体の外表面を人体の手の指で挟み、吐出スリットの幅方向に向けて人体の手の指で押すことによって、被収容物を流出させることができる。
【０００９】
この発明の上述の目的、その他の目的、特徴及び利点は、図面を参照して行う以下の発明を実施するための形態の説明から一層明らかとなろう。
【図面の簡単な説明】
【００１０】
【図１Ａ】本発明の第一の実施の形態に係るパウチ容器の斜視図解図である。
【図１Ｂ】本発明の第一の実施の形態に係るパウチ容器の口部を露出させた状態の斜視図解図である。
【図１Ｃ】図１ＢのＡ矢視図である。
【図２Ａ】図１のパウチ容器の正面図解図である。
【図２Ｂ】図１のパウチ容器の口部を露出させた状態の正面図解図である。
【図３】図１のパウチ容器の開閉弁の図解図であり、（Ａ）は斜視図解図であり、（Ｂ）は縦断面図解図である。
【図４】図１のパウチ容器の開閉弁の縦断面図解図である。
【図５】図４のＡ−Ａ線断面図解図である。
【図６】開閉弁の開いた状態を示す縦断面図解図である。
【図７】開閉弁の開いた状態を示す縦断面図解図である。
【図８】図７のＢ−Ｂ線断面図解図である。
【図９】本発明の第二の実施の形態に係るパウチ容器の開閉弁の一部を断面とした斜視図解図である。
【図１０】図９のパウチ容器の開閉弁の縦断面図解図である。
【図１１】開閉弁の開いた状態を示す斜視図解図である。
【図１２】本発明の第三の実施の形態に係るパウチ容器の開閉弁の一部を断面とした斜視図解図である。
【図１３】図１２のパウチ容器の開閉弁の縦断面図解図である。
【図１４】開閉弁の開いた状態を示す一部を断面とした斜視図解図である。
【図１５】本発明の第四の実施の形態に係るパウチ容器の開閉弁の一部を断面とした斜視図解図である。
【図１６】図１５のパウチ容器の開閉弁の平面図解図である。
【図１７】開閉弁の開いた状態を示す一部を断面とした斜視図解図である。
【図１８】本発明の第五の実施の形態に係るパウチ容器の開閉弁の一部を断面とした斜視図解図である。
【図１９】図１８のパウチ容器の開閉弁の平面図解図である。
【図２０】開閉弁の開いた状態を示す一部を断面とした斜視図解図である。
【図２１】本発明の第六の実施の形態に係るパウチ容器の開閉弁の一部を断面とした斜視図解図である。
【図２２】図２１のパウチ容器の開閉弁の縦断面図解図である。
【図２３】開閉弁の開いた状態を示す一部を断面とした縦断面図解図である。
【図２４Ａ】図１のパウチ容器の表面材及び底面材による組み立て方を示す斜視図解図である。
【図２４Ｂ】図１のパウチ容器の表面材及び底面材による組み立て方を示す正面図解図である。
【図２５】開閉弁の説明図である。
【発明を実施するための形態】
【００１１】
パウチ容器１０は、表側のシート状の第１表面材１２と裏側のシート状の第２表面材１４とを周辺近傍において熱溶着されて相互に連結された連結領域１６を形成され、該連結領域１６によって囲繞された中に、液状等の被収容物を収容する閉鎖区域１８を形成されている。
第１表面材１２及び第２表面材１４は、ポリエチレンやポリプロピレン等の熱接着性を有する合成樹脂フィルムの外面に、ガスバリア性シート等を積層した二軸延伸ポリエステルフィルム等をラミネートした厚さ１００〜２００μｍ程度の柔軟性シートによって構成されている。
【００１２】
この実施の形態のパウチ容器１０は、表裏一対の第１表面材１２及び第２表面材１４と、この第１表面材１２及び第２表面材１４の下端部において両者の間に折り込まれる底面材２０とから構成されている。パウチ容器１０は、第１表面材１２及び第２表面材１４の上縁部及び両側縁部が相互にヒートシールされることによって胴部２２が形成されると共に、第１表面材１２及び第２表面材１４間に折り込まれた底面材２０の下縁部の周縁を第１表面材１２及び第２表面材１４の内面にヒートシールすることによって、胴部２２の下端開口部を閉塞する底部２４が形成されている。
このように、パウチ容器１０は、第１表面材１２及び第２表面材１４をその周辺近傍において溶着することにより連結領域１６を形成され、連結領域１６によって囲繞された中に閉鎖区域１８を形成されている。
連結領域１６は、第１表面材１２及び第２表面材１４並びに底面材２０の両側縁部をヒートシールされたサイドシール部３０と、第１表面材１２及び第２表面材１４の下縁部並びに底面材２０の下縁部をヒートシールされたボトムシール部３２と、第１表面材１２及び第２表面材１４の上縁部をヒートシールされたトップシール部３４とを含む。
【００１３】
第１表面材１２と第２表面材１４とを連結した連結領域１６の一部たる上縁部をヒートシールされたトップシール部３４に、開閉弁５０が取り付けられている。
開閉弁５０は、胴部２２の底部２４とは反対側の上部の端部に形成されている。
連結領域１６は、開閉弁５０を開口する前においては、閉鎖区域１８に臨む側とは反対側である開閉弁５０の先端側を、被覆している。
連結領域１６は、開閉弁５０を開口するときに、開閉弁５０の先端側の近傍において、開閉弁５０の先端に沿って切断することにより、開閉弁５０を開口することができるように構成されている。
この実施の形態においては、開閉弁５０は、第１表面材１２と第２表面材１４とを連結した連結領域１６の一部たる上縁部と側縁部とが直角に交差する隅角部において、第１表面材１２と第２表面材１４とを連結した連結領域１６の一部たる上縁部及び側縁部と斜めに交差するように、第１表面材１２と第２表面材１４との間にヒートシールされて固定されている。
パウチ容器１０は、開閉弁５０を開口するときは、第１表面材１２と第２表面材１４とを連結した連結領域１６のみを、開閉弁５０の先端に沿って切断することができるように構成されている。
【００１４】
開閉弁５０は、ポリエチレンやポリプロピレン等の熱接着性合成樹脂で一体成形されている。
開閉弁５０は、熱可塑性エラストマー（ＴＲＥ）、すなわち、高温で可塑化されて所定の形状に形成され、常温でゴム弾性体（エラストマー）の性質を示す弾性体で形成されている。
この実施の形態においては、開閉弁５０は、オレフィン系エラストマー、すなわちポリプロピレン（ＰＰ）の中に、エチレン・プロピレンジエンゴム（ＥＰＤＭ；ＥＰＭ）を微分散させたものを用いている。
【００１５】
開閉弁５０は、第１表面材１２と第２表面材１４とを上端縁に挟み込まれた状態で、第１表面材１２と第２表面材１４とにヒートシールされる円柱状である。
弁本体５２は、前記第１表面材１２と第２表面材１４とを連結した連結領域１６において第１表面材１２及び第２表面材１４に密着する外表面を有する。
弁本体５２は、前記閉鎖区域１８内に入り込む領域において、弁本体５２の中に穿設された流入穴５４と、前記第１表面材１２と第２表面材１４とを連結した連結領域１６の外側に開口するように、弁本体５２の中に穿設された流出穴５６とを備える。
流出穴５６は、連結領域１６の中にヒートシールされて固定され、第１表面材１２と第２表面材１４とを切断した開口時に連結領域１６の外側にその先端が開口するように構成されている。
弁本体５２は、前記流入穴５４と流出穴５６との間において、人体の手の指の幅に近い長さを有する弁部５８を有している。
【００１６】
弁本体５２は、弁部５８の周辺が、閉鎖区域１８に収容された被収容物の運動による圧力で変形せず且つ人体の手の指の圧力で変形する弾力性を有する合成樹脂（熱可塑性エラストマ）で一体成形されている。
【００１７】
弁部５８は、前記流入穴５４と流出穴５６とに連通する一条の吐出スリット６０を形成されている。
前記吐出スリット６０は、流入穴５４と流出穴５６との間にのびる長手方向と、前記長手方向と交差する方向にのびる幅方向とを有している。
吐出スリット６０は、流入穴５４と流出穴５６との間において、略々同じ幅に形成されている。
吐出スリット６０は、その幅方向における両側における弁本体５２の外表面を人体の手の指で挟み、吐出スリット６０の幅方向に向けて人体の手の指で押すことによって、弁本体５２の吐出スリット６０の周辺の弁本体５２を変形させ且つ吐出スリット６０を拡開するように構成されている。
この実施の形態においては、吐出スリット６０は、第１表面材１２と第２表面材１４とを連結した連結領域１６において、第１表面材１２と第２表面材１４とが対向する面に略々直交するようにのびており、連結領域１６の第１表面材１２及び第２表面材１４を人体の手の指で挟み、吐出スリット６０の幅方向に押すことによって、弁本体５２の吐出スリット６０の周辺の弁本体５２を変形させ且つ吐出スリット６０を拡開するように構成されている。
【００１８】
弁本体５２の中程にある吐出スリット６０は、それを構成するスリット構成面が、互いに平行な平面であり、無負荷のときに密着している。
吐出スリット６０は、その幅方向の向きが、第１表面材１２及び第２表面材１４の上縁部及び側縁部の内側面に直交ないしは斜交する方向に向いている。
【００１９】
弁本体５２は、閉鎖区域１８から連結領域１６の外側に至る長さを備えた、円柱状若しくは截頭円錐状又は角柱状若しくは截頭角錐状であり、パウチ容器１０に充填された液体等の被内容物Ｇを注ぎ出すための口部７０と、この口部７０に連設された、円錐状の装着部７２と、この装着部７２に連設された導出部７４とから構成されている。
流入穴５４を形成された導出部７４及び流出穴５６を形成された口部７０は、円筒状である。
弁本体５２は、流出穴５６の外側の方が流出穴５４より徐々に細くなる錘状の方が、第１表面材１２と第２表面材１４との連結領域１６から抜け出ることが少なくなる。
【００２０】
吐出スリット６０を形成された弁部５８は、流出穴５４及び／又は流入穴５６に向く面が平面視及び／又は底面視方形又は円形の平面状であり、それぞれ略々同じ直径である。
流出穴５４及び／又は流入穴５６に向く面は、流入穴５４の内周壁面及び流出穴５６の内周壁面と略直交する平面状である。
【００２１】
開閉弁５０は、連結領域１６の幅が５〜１０ｍｍ前後であるので、弁本体５２の長さ（Ｌ1）が１ｃｍ以上であることが望ましい。
開閉弁５０は、人体の手の指の幅に対応して、弁部５８の長さ（Ｌ2）が５ｍｍより長く、１ｃｍより短いことが望ましい。
開閉弁５０は、弁本体５２の直径（Ｗ1）が４ｍｍより長く、１２ｍｍより短いことが望ましい。
開閉弁５０は、弁本体５２の直径（Ｗ2）が５ｍｍより長く、１４ｍｍより短いことが望ましい。
開閉弁５０は、装着部７２の外側面であって、吐出スリット６０がのびる幅方向で装着部７２の径方向に弁部５８を人体の手の指で押す力が、０．６ｋｇｆより大きく、１．５ｋｇｆより小さいときに、吐出スリット６０が開口するように構成されている。
【００２２】
底部２４は、山折りに折り込まれた第１表面材１２及び第２表面材１４を構成する合成樹脂フィルムと同様な熱融着性を有する合成樹脂フィルムからなる底面材２０が、第１表面材１２及び第２表面材１４の内側面と熱溶着されている。
底面材２０は、第１表面材１２と第２表面材１４との間に山折り状態で挿入されており、底面材２０の頂上部分に底折り込み部２０ａを有する。
対向する第１表面材１２と第２表面材１４とは、両側縁部（サイドシール部３０）で底面材２０の両側縁部と熱溶着して封止されるとともに、両底縁部（ボトムシール部３２）で底面材２０の下縁部と熱溶着して封止されている。
底部２４は、底面材２０の下縁部と第１表面材１２及び第２表面材１４の両下縁部とをシールされた弧状のボトムシール部３２を有し、被収容物Ｇを収容すると、楕円状の底面が形成されるように弧状のボトムシール部３２が開き、自立性が付与される。
【００２３】
次に、本発明のパウチ容器の製造方法について図１、図２及び図２４を参照して説明する。
図２４Ａ及び図２４Ｂは、本発明にかかるパウチ容器を第１表面材１２、第２表面材１４及び底面材２０をもって製造する方法を示しており、図１Ａ及び図２Ａは、図２４Ａ及び図２４Ｂに示す製造方法によって製造されたパウチ容器１０を示している。
【００２４】
開閉弁５０が装着された状態のパウチ容器１０は、図１に示すように、表裏一対の第１表面材１２及び第２表面材１４の両側部から内側に折り込まれて底部２４を形成する底面材２０から構成されている。折り込まれた底面材２０の外面の周縁が第１表面材１２及び第２表面材１４の内面にヒートシールされると共に、第１表面材１２及び第２表面材１４の内面の上縁部及び左右側縁部が相互にヒートシールされることで、閉鎖区域１８を有する袋状に形成されている。
【００２５】
以下、パウチ容器１０に開閉弁５０を第１表面材１２及び第２表面材１４の間に装着する方法について、図２４Ａ及び図２４Ｂを参照しながら説明する。
開閉弁５０が装着される前のパウチ容器１０は、別工程（図２４Ｂ図示１回目シール部をヒートシールする工程）で予め製造されており、開閉弁５０が装着される第１表面材１２及び第２表面材１４の上縁部はヒートシールされていない。すなわち、対向する第１表面材１２と第２表面材１４とは、両側縁部（サイドシール部３０）で底面材２０の両側縁部と熱溶着して封止されるとともに、両底縁部（ボトムシール部３２）で底面材２０の下縁部と熱溶着して封止されているが、底部２４とは反対側の第１表面材１２及び第２表面材１４の上側縁はヒートシールされていない。
このヒートシールされていない開閉弁５０の装着縁には、開閉弁５０を装着する際に相互にヒートシールされる第１表面材１２及び第２表面材１４の下縁部等に、第１表面材１２及び第２表面材１４並びに開閉弁５０の位置を決めるためのレジスターマーク８０又は位置決め穴（図示せず）等がそれぞれ形成されている。
【００２６】
開閉弁５０は、図３ないし図５に示すように、パウチ容器１０に充填された液体等の被内容物Ｇを注ぎ出すための口部７０と、この口部７０に連設された、円錐状の装着部７２と、この装着部７２に連設された導出部７４とから構成されている。そして、口部７０及び装着部７２が、第１表面材１２及び第２表面材１４の上縁部及び側縁部に挟み込まれた状態でヒートシールされる。
【００２７】
まず、底部２４を下にして立った状態の第１表面材１２及び第２表面材１４が開閉弁５０の装着位置に供給されると、例えば、先端が先細テーパ状に形成された位置決めピン（図示せず）が第１表面材１２及び第２表面材１４の位置決め穴（図示せず）に挿入され、第１表面材１２及び第２表面材１４の位置決めが行われる。
【００２８】
次に、第１表面材１２及び第２表面材１４の開閉弁５０と装着する第１表面材１２及び第２表面材１４の上縁部及び側縁部の間を未シールの開閉弁５０を装着する第１表面材１２及び第２表面材１４の上縁部及び側縁部が予備的に開く。例えば、一対のオープナ（図示せず）によって、開閉弁５０の装着する第１表面材１２及び第２表面材１４の上縁部及び側縁部の間を吸引把持する。
【００２９】
そして、第１表面材１２及び第２表面材１４の上縁部及び側縁部の間に、開閉弁５０の口部７０及び装着部７２を挿入し、その後、第１表面材１２及び第２表面材１４の上縁部及び側縁部の対向する面を開閉弁５０の口部７０及び装着部７２の外表面に密着させて、ヒートシールする（図２４Ｂ図示２回目シール部をヒートシールする工程）。
開閉弁５０は、装着部７２の吐出スリット６０の幅方向の向きが、第１表面材１２及び第２表面材１４の上縁部及び側縁部の対向面に直交する方向に向いた状態にて、第１表面材１２及び第２表面材１４の上縁部及び側縁部の間にヒートシールされる。
【００３０】
次に、一対のオープナ（図示せず）を相互に離反させることにより、未シールの第１表面材１２及び第２表面材１４の上縁部を大きく開く。その後に、注入口を、第１表面材１２及び第２表面材１４の上縁部を開いた第１表面材１２と第２表面材１４との間に挿入して、被収容物Ｇを注ぎ込む。
パウチ容器１０の閉鎖区域１８に被収容物Ｇを注ぎ込んだ後、第１表面材１２及び第２表面材１４の上縁部をヒートシールする（図２４図示３回目シール部をヒートシールする工程）。
【００３１】
パウチ容器１０は、第１表面材１２及び第２表面材１４の上縁部と側縁部とが交差する隅角部に、開閉弁５０を装着されている。
開閉弁５０の外側には、第１表面材１２及び第２表面材１４の上縁部と側縁部とにより形成される交差する隅角部が存在している。開閉弁５０の口部７０及び装着部７２は、第１表面材１２と第２表面材１４とを連結した連結領域１６によって被覆されており、閉鎖区域１８を密封している。
そして、開閉弁５０から閉鎖区域１８に収容された被収容物Ｇを注ぎ出すときには、開閉弁５０の口部７０の辺りで、第１表面材１２及び第２表面材１４の上縁部と側縁部とが交差する隅角部を切断して除去し、開閉弁５０の口部７０を露出させる。
そして、開閉弁５０の装着部７２の外側に位置する第１表面材１２及び第２表面材１４の上縁部又は側縁部を、人体の手の指で押圧することにより、吐出スリット６０が開口して、被収容物Ｇを開閉弁５０から注ぎ出すことができる。人体の手の指で開閉弁５０を押す方向は、吐出スリット６０がのびる幅方向で装着部７２の径方向である。
【００３２】
この発明は、前記実施の形態に限らず、この発明の思想に基づき、種々変更することが可能である。
図９ないし図１１に示す開閉弁５０は、吐出スリット６０を形成された弁部５８が、流出穴５４及び／又は流入穴５６に向く面が平面視及び／又は底面視方形又は円形の凸状である。
流出穴５４に向く面は、半球状であり、流出穴５４の内周壁面と接する外周縁が流出穴５４側から弁部５８側に凹んでいる。
流入穴５６に向く面は、半球状であり、流入穴５６の内周壁面と接する外周縁が流入穴５６側から弁部５８側に凹んでいる。
【００３３】
弁本体５２は、前記閉鎖区域１８内に入り込む領域において、弁本体５２の中に穿設された流入穴５４と、前記第１表面材１２と第２表面材１４とを連結した連結領域１６の外側に開口するように、弁本体５２の中に穿設された流出穴５６とを備える。
流出穴５６は、連結領域１６の中にヒートシールされて固定され、第１表面材１２と第２表面材１４とを切断した開口時に連結領域１６の外側にその先端が開口するように構成されている。
弁本体５２は、前記流入穴５４と流出穴５６との間において、人体の手の指の幅に近い長さを有する弁部５８を有している。
【００３４】
弁本体５２は、閉鎖区域１８に収容された被収容物の運動による圧力で変形せず且つ人体の手の指の圧力で変形する弾力性を有する合成樹脂（熱可塑性エラストマ）で一体成形されている。
【００３５】
弁部５８は、前記流入穴５４と流出穴５６とに連通する一条の吐出スリット６０を形成されている。
前記吐出スリット６０は、流入穴５４と流出穴５６との間にのびる長手方向と、前記長手方向と交差する方向にのびる幅方向とを有している。
吐出スリット６０は、流入穴５４と流出穴５６との間において、略々同じ幅に形成されている。
吐出スリット６０は、その幅方向における両側における弁本体５２の外表面を人体の手の指で挟み、吐出スリット６０の幅方向に向けて人体の手の指で押すことによって、弁本体５２の吐出スリット６０の周辺の弁本体５２を変形させ且つ吐出スリット６０を拡開するように構成されている。
【００３６】
弁本体５２の中程にある吐出スリット６０は、それを構成するスリット構成面が、互いに平行な平面であり、無負荷のときに密着している。
吐出スリット６０は、その幅方向の向きが、第１表面材１２及び第２表面材１４の上縁部及び側縁部の内側面に直交ないしは斜交する方向に向いている。
【００３７】
図１２ないし図１４に示す開閉弁５０は、吐出スリット６０を形成された弁部５８は、流出穴５４及び／又は流入穴５６に向く面が平面視及び／又は底面視方形又は円形の凸状又は凹状である。
流出穴５４に向く面は、円錐状の凸状であり、流出穴５４の内周壁面と接する外周縁が弁部５８側に凹んでいる。
流入穴５６に向く面は、円錐状の凹状であり、流入穴５６の内周壁面と接する外周縁が弁部５８側より出ばっている。
【００３８】
弁本体５２は、前記閉鎖区域１８内に入り込む領域において、弁本体５２の中に穿設された流入穴５４と、前記第１表面材１２と第２表面材１４とを連結した連結領域１６の外側に開口するように、弁本体５２の中に穿設された流出穴５６とを備える。
流出穴５６は、開閉弁５０が連結領域１６の中にヒートシールされて固定され、第１表面材１２と第２表面材１４とを切断した開口時に連結領域１６の外側にその先端が開口するように構成されている。
弁本体５２は、前記流入穴５４と流出穴５６との間において、人体の手の指の幅に近い長さを有する弁部５８を有している。
【００３９】
弁本体５２は、閉鎖区域１８に収容された被収容物の運動による圧力で変形せず且つ人体の手の指の圧力で変形する弾力性を有する合成樹脂（熱可塑性エラストマ）で一体成形されている。
【００４０】
弁部５８は、前記流入穴５４と流出穴５６とに連通する一条の吐出スリット６０を形成されている。
前記吐出スリット６０は、流入穴５４と流出穴５６との間にのびる長手方向と、前記長手方向と交差する方向にのびる幅方向とを有している。
吐出スリット６０は、流入穴５４と流出穴５６との間において、略々同じ幅に形成されている。
吐出スリット６０は、その幅方向における両側における弁本体５２の外表面を人体の手の指で挟み、吐出スリット６０の幅方向に向けて人体の手の指で押すことによって、弁本体５２の吐出スリット６０の周辺の弁本体５２を変形させ且つ吐出スリット６０を拡開するように構成されている。
【００４１】
弁本体５２の中程にある吐出スリット６０は、それを構成するスリット構成面が、互いに平行な平面であり、無負荷のときに密着している。
吐出スリット６０は、その幅方向の向きが、第１表面材１２及び第２表面材１４の上縁部及び側縁部の内側面に直交ないしは斜交する方向に向いている。
【００４２】
開閉弁５０は、弁本体５２が楕円状であってもよく、上底及び下底とも同一の錘状体でもよく、図１５ないし図１７に示すように、上底より下底の方が大きい錘状体であってもよい。
又、開閉弁５０は、図１８ないし図２０に示すように、半円が同心円状にならぶ外形であってもよい。
【００４３】
弁部５８に形成された吐出スリット６０は、弁部５８の中央に形成された一条のスリットのみではなく、図２１ないし図２３に示すように、平行に並列されて複数条のスリットをもって形成してもよい。
【００４４】
弁部５８は、前記流入穴５４と流出穴５６とに連通する一条の吐出スリット６０を形成されている。
前記吐出スリット６０は、流入穴５４と流出穴５６との間にのびる長手方向と、前記長手方向と交差する方向にのびる幅方向とを有している。
吐出スリット６０は、流入穴５４と流出穴５６との間において、略々同じ幅に形成されている。
吐出スリット６０は、その幅方向における両側における弁本体５２の外表面を人体の手の指で挟み、吐出スリット６０の幅方向に向けて人体の手の指で押すことによって、弁本体５２の吐出スリット６０の周辺の弁本体５２を変形させ且つ吐出スリット６０を拡開するように構成されている。
【００４５】
弁本体５２の中程にある吐出スリット６０は、それを構成するスリット構成面が、互いに平行な平面であり、無負荷のときに密着している。
吐出スリット６０は、その幅方向の向きが、第１表面材１２及び第２表面材１４の上縁部及び側縁部の内側面に直交ないしは斜交する方向に向いている。
【符号の説明】
【００４６】
１０  パウチ容器
１２  第１表面材
１４  第２表面材
１６  連結領域
１８  閉鎖区域
２０  底面材
２０  底折り込み部
２２  胴部
２４  底部
３０  サイドシール部
３２  ボトムシール部
３４  トップシール部
５０  開閉弁
５２  弁本体
５４  流入穴
５６  流出穴
５８  弁部
６０  吐出スリット
７０  口部
７２  装着部
７４  導出部
８０  レジスターマーク
Ｇ    被収容物
【図１Ａ】
2015034021.tif 000003
【図１Ｂ】
2015034021.tif 000004
【図１Ｃ】
2015034021.tif 000005
【図２Ａ】
2015034021.tif 000006
【図２Ｂ】
2015034021.tif 000007
【図３】
2015034021.tif 000008
【図４】
2015034021.tif 000009
【図５】
2015034021.tif 000010
【図６】
2015034021.tif 000011
【図７】
2015034021.tif 000012
【図８】
2015034021.tif 000013
【図９】
2015034021.tif 000014
【図１０】
2015034021.tif 000015
【図１１】
2015034021.tif 000016
【図１２】
2015034021.tif 000017
【図１３】
2015034021.tif 000018
【図１４】
2015034021.tif 000019
【図１５】
2015034021.tif 000020
【図１６】
2015034021.tif 000021
【図１７】
2015034021.tif 000022
【図１８】
2015034021.tif 000023
【図１９】
2015034021.tif 000024
【図２０】
2015034021.tif 000025
【図２１】
2015034021.tif 000026
【図２２】
2015034021.tif 000027
【図２３】
2015034021.tif 000028
【図２４Ａ】
2015034021.tif 000029
【図２４Ｂ】
2015034021.tif 000030
【図２５】
2015034021.tif 000031